(57)【要約】  被加熱物が載置されるトッププレート２と、トッププレート２の下方に載置され、被加熱物を加熱する誘導加熱コイル３と、加熱制御に関する操作の入力を行う操作部６と、入力操作や加熱状態に関する情報を表示する複数の表示部５と、複数の表示部５を制御する制御部１０とを備え、各表示部５は、表示画面５１０と、画像情報が記憶される表示用メモリ５２１を有し、表示用メモリ５２１に記憶された画像情報を読み出し、表示画面５１０に継続して表示させる表示駆動回路５２０とを有し、制御部１０は、各表示用メモリ５２１に記憶された画像情報を変更することで、各表示画面５１０の表示内容を更新させる。
2012023222.tif 000002
【特許請求の範囲】
【請求項１】
被加熱物が載置されるトッププレートと、
前記トッププレートの下方に載置され、前記被加熱物を加熱する加熱手段と、
加熱制御に関する操作の入力を行う操作手段と、
入力操作や加熱状態に関する情報を表示する複数の表示手段と、
前記複数の表示手段を制御する表示制御手段と
を備え、
前記各表示手段は、
表示画面と、
画像情報が記憶される表示用メモリを有し、前記表示用メモリに記憶された前記画像情報を読み出し、前記表示画面に継続して表示させる表示駆動回路と
を有し、
前記表示制御手段は、
前記各表示用メモリに記憶された前記画像情報を変更することで、前記各表示画面の表示内容を更新させる
ことを特徴とする加熱調理器。
【請求項２】
前記表示制御手段は、
前記操作手段からの入力操作または前記加熱手段の加熱状態に応じて、表示内容を変更させる前記表示手段を選択し、
選択した表示手段の前記表示用メモリに記憶された前記画像情報を書き換え、対応する前記表示画面の表示内容を変更させる
ことを特徴とする請求項１記載の加熱調理器。
【請求項３】
前記表示制御手段は、
前記各表示手段に表示させる前記各画像情報を合成した合成画像情報が記憶される画像メモリと、
前記画像メモリに記憶された前記合成画像情報を逐次読み出して、書き込み信号とともに出力する制御部と、
前記書き込み信号に応じて前記各表示手段を順次選択し、選択した表示手段の前記表示用メモリに前記合成画像情報を逐次書き込む画面選択部と
を備えたことを特徴とする請求項１記載の加熱調理器。
【請求項４】
前記表示画面は、ドットマトリクス式の画面により構成され、
前記制御部は、
前記合成画像情報をドット毎に逐次読み出して、書き込み信号とともに前記画面選択部に出力し、
前記画面選択部は、
選択した前記表示手段の前記表示用メモリに前記合成画像情報をドット毎に逐次書き込み、
前記書き込み信号の累計が、前記表示画面の総ドット数となったとき、他の表示手段を選択する
ことを特徴とする請求項３記載の加熱調理器。
【請求項５】
前記表示手段は、
前記表示画面を複数の領域に区分し、該領域毎に前記表示駆動回路を設け、
前記表示制御手段は、
書き込み信号とともに前記画像情報を逐次出力する制御部と、
前記書き込み信号に応じて前記各表示駆動回路を順次選択し、選択した表示駆動回路の前記表示用メモリに前記画像情報を逐次書き込む表示駆動回路選択部と
を備えたことを特徴とする請求項１記載の加熱調理器。
【請求項６】
前記表示画面は、ドットマトリクス式の画面により構成され、
前記制御部は、
書き込み信号とともに前記画像情報をドット毎に逐次出力し、
前記表示駆動回路選択部は、
選択した表示駆動回路の前記表示用メモリに前記画像情報をドット毎に逐次書き込み、
前記書き込み信号の累計が、前記領域の総ドット数となったとき、他の表示駆動回路を選択する
ことを特徴とする請求項５記載の加熱調理器。
【請求項７】
前記表示制御手段は、
前記複数の表示用メモリの全ての前記画像情報を書き換える時間が、前記表示画面の応答時間以下である
ことを特徴とする請求項１〜６の何れか１項に記載の加熱調理器。
【請求項８】
前記表示制御手段は、
前記複数の表示手段のうち、任意の表示手段に対して前記表示画面のコントラストおよび明るさの少なくとも一方を調整する調整信号を出力したとき、当該表示手段以外の他の表示手段に対して同一の調整信号を出力し、
前記各表示駆動回路は、
前記表示制御手段から入力された前記調整信号に基づき、前記表示画面のコントラストおよび明るさの少なくとも一方を調整する
ことを特徴とする請求項１〜７の何れか１項に記載の加熱調理器。
【請求項９】
前記複数の表示手段に電力を供給する電源回路と、
前記電源回路から前記各表示手段に対する電力供給をそれぞれオンオフする開閉手段と
を備え、
前記表示制御手段は、
前記開閉手段を制御し、前記各表示手段に対する電力供給を所定時間以上の間隔で順次行う
ことを特徴とする請求項１〜８の何れか１項に記載の加熱調理器。
【請求項１０】
前記複数の表示手段に電力を供給する電源回路と、
前記電源回路と前記各表示手段との間に設けられたローパスフィルタと
を備え、
前記表示駆動回路は、
間欠的な電流により、前記表示画面を駆動する
ことを特徴とする請求項１〜９の何れか１項に記載の加熱調理器。
【請求項１１】
前記操作手段は、
透明性を有する複数の電極により構成され、前記表示画面の上に配置された
ことを特徴とする請求項１〜１０の何れか１項に記載の加熱調理器。
【請求項１２】
前記加熱手段は、前記トッププレートの幅方向に複数備え、
前記表示手段は、
前記加熱手段毎に設けられ、前記トッププレートの手前側に幅方向に配列された
ことを特徴とする請求項１〜１１の何れか１項に記載の加熱調理器。
【請求項１３】
前記トッププレートの下方に設けられ、被加熱物を出し入れ可能に前面が開口したグリル庫と、
前記グリル庫内に設けられ、前記被加熱物を加熱するグリル加熱手段と
を備え、
前記加熱手段は、前記トッププレートの幅方向に３つ設けられ、
前記表示手段は、３つ設けられ、前記トッププレートの手前側に幅方向に配列され、
中央に配置された前記表示手段は、中央に配置された前記加熱手段および前記グリル加熱手段に対する入力操作や加熱状態に関する情報を表示し、
右側に配置された前記表示手段は、右側に配置された前記加熱手段に対する入力操作や加熱状態に関する情報を表示し、
左側に配置された前記表示手段は、左側に配置された前記加熱手段に対する入力操作や加熱状態に関する情報を表示する
ことを特徴とする請求項１〜１２の何れか１項に記載の加熱調理器。
【請求項１４】
中央に配置された前記表示手段は、
前記表示画面を、前記加熱手段に対する入力操作や加熱状態に関する情報を表示する領域と、前記グリル加熱手段に対する入力操作や加熱状態に関する情報を表示する領域とに区分して表示する
ことを特徴とする請求項１３記載の加熱調理器。
【請求項１５】
前記表示画面は、前記トッププレートの下方に配置され、
前記トッププレートは、前記表示画面の配置位置に対応して透明性を有する窓部が形成され、
前記窓部に、前記領域を区分する塗装が施された
ことを特徴とする請求項１４記載の加熱調理器。
【請求項１６】
前記加熱手段は、複数設けられ、
前記表示手段は、前記加熱手段毎に複数設けられ、
前記表示制御手段は、
前記複数の表示手段のうち、加熱動作を停止している前記加熱手段に対応する表示手段に、加熱動作中の前記加熱手段の入力操作や加熱状態に関する情報を表示させる
ことを特徴とする請求項１〜１５の何れか１項に記載の加熱調理器。
【請求項１７】
前記表示画面の下面に互いに並んで配置され、前記表示画面に光を照射する複数の導光板と、
前記各導光板毎に設けられ、前記導光板に光を入射する光源と
を備え、
前記複数の導光板のうち少なくとも１つは、照射する光の輝度が他の導光板と異なり、
前記表示制御手段は、
前記表示画面のうち、照射する光の輝度が他の導光板より高い前記導光板に対応する領域に、前記加熱手段の火力に関する情報を表示させる
ことを特徴とする請求項１〜１６の何れか１項に記載の加熱調理器。
【請求項１８】
前記表示画面の上方の一部に、可視光の透過を低減させるシートを配置し、
前記表示制御手段は、
前記表示画面のうち、前記シートが配置されていない位置に対応する画面領域に、前記加熱手段の火力に関する情報を表示させる
ことを特徴とする請求項１〜１６の何れか１項に記載の加熱調理器。
【請求項１９】
前記表示画面の近傍に、発光色が可変の表示灯を複数備え、
前記表示制御手段は、
前記加熱手段の火力に応じて前記表示灯の点灯または発光色を可変させる
ことを特徴とする請求項１〜１６の何れか１項に記載の加熱調理器。
【請求項２０】
前記表示画面の下面に配置され、前記表示画面に光を照射する導光板と、
発光色が可変であって、前記導光板に光を入射する光源と
を備え、
前記表示制御手段は、
前記加熱手段の動作状態に応じて、前記光源の発光色を制御する
ことを特徴とする請求項１〜１７の何れか１項に記載の加熱調理器。
【発明の詳細な説明】
【技術分野】
【０００１】
本発明は、加熱調理器に関するものである。
【背景技術】
【０００２】
従来の技術においては、例えば、「互いに重ね合わせられて配置された複数の液晶パネルと、前記複数の液晶パネルを駆動する液晶駆動手段と、前記液晶駆動手段を制御して、前記複数の液晶パネルに画像を表示する表示制御手段とを備え、前記表示制御手段は、前記液晶駆動手段により前記複数の液晶パネルのそれぞれの画像を切り替えて表示する形態と、２つ以上の液晶パネルに関連する画像を同時に表示する形態との両方の形態の表示を行うことを特徴とする液晶表示装置。」が提案されている（例えば、特許文献１参照）。
【先行技術文献】
【特許文献】
【０００３】
【特許文献１】特開２００２−２２９０５９号公報（請求項１）
【発明の概要】
【発明が解決しようとする課題】
【０００４】
従来の技術においては、例えば液晶パネルなどの表示手段を複数備える場合、これら複数の表示手段を同時に表示させるには、表示内容を制御する表示制御手段（マイコン等）を、表示手段毎に設ける必要があり、コストが高くなる、という問題点があった。【０００５】
上記特許文献１に記載の技術は、複数の液晶パネルによる表示を行うものではあるが、単に表示内容を複数の液晶パネルに分けてこれを積層したものであり、１つのＣＰＵにより表示できる表示内容は１つだけである。このため、１つのＣＰＵからは複数の表示手段に対する表示内容を制御することができない、という問題点があった。【０００６】
また、表示制御手段の数を削減するために、複数の表示手段の表示内容を１つの表示手段に合成し、表示手段を大型化することが考えられる。
しかし、加熱調理器においては、操作性・視認性向上の観点から、表示手段を本体の上面手前側に配置するのが望ましい。このため、表示手段を１つの部材（例えば液晶パネル）で構成する場合、細い横長の液晶パネルが必要となり、このような液晶パネルを製造することは製品品質上困難であり、また製造コストが高くなる、という問題点があった。【０００７】
本発明は、上記のような課題を解決するためになされたもので、複数の表示手段を同時に表示させる場合であっても、１つの表示制御手段により表示内容を制御することができる加熱調理器を得ることを目的とする。
【課題を解決するための手段】
【０００８】
本発明の加熱調理器は、被加熱物が載置されるトッププレートと、前記トッププレートの下方に載置され、前記被加熱物を加熱する加熱手段と、加熱制御に関する操作の入力を行う操作手段と、入力操作や加熱状態に関する情報を表示する複数の表示手段と、前記複数の表示手段を制御する表示制御手段とを備え、前記各表示手段は、表示画面と、画像情報が記憶される表示用メモリを有し、前記表示用メモリに記憶された前記画像情報を読み出し、前記表示画面に継続して表示させる表示駆動回路とを有し、前記表示制御手段は、前記各表示用メモリに記憶された前記画像情報を変更することで、前記各表示画面の表示内容を更新させるものである。
【発明の効果】
【０００９】
本発明は、複数の表示手段を同時に表示させる場合であっても、１つの表示制御手段により表示内容を制御することができる。
【図面の簡単な説明】
【００１０】
【図１】本発明の実施の形態１に係る加熱調理器の斜視図である。
【図２】本発明の実施の形態１に係る加熱調理器の上面図である。
【図３】本発明の実施の形態１に係る加熱調理器の内部構造を示した概略断面図である。
【図４】本発明の実施の形態１に係る加熱調理器の要部を拡大した概略断面図である。
【図５】本発明の実施の形態１に係る表示画面５１０と操作部６を示す上面図である。
【図６】本発明の実施の形態１に係る加熱調理器の表示に関するブロック構成図である。
【図７】本発明の実施の形態１に係る加熱調理器の表示部５のブロック構成図である。
【図８】本発明の実施の形態２に係る加熱調理器の表示に関するブロック構成図である。
【図９】本発明の実施の形態２に係る動作の具体例を示す図である。
【図１０】本発明の実施の形態３に係る加熱調理器の表示に関するブロック構成図である。
【図１１】本発明の実施の形態３に係る加熱調理器の表示部５のブロック構成図である。
【図１２】本発明の実施の形態３に係る加熱調理器の表示に関する別のブロック構成図である。
【図１３】本発明の実施の形態４に係る動作の具体例を示す図である。
【図１４】本発明の実施の形態５に係る表示調整処理を示すフローチャートである。
【図１５】本発明の実施の形態６に係る加熱調理器の電力供給に関するブロック構成図である。
【図１６】本発明の実施の形態６に係る表示部５の電源投入時と定常時の電流を示す図である。
【図１７】本発明の実施の形態７に係る加熱調理器の電力供給に関するブロック構成図である。
【図１８】本発明の実施の形態７に係る表示部５の電源投入時と定常時の電流を示す図である。
【図１９】本発明の実施の形態８に係る表示部５ｃの表示画面５１０と操作部６を示す上面図である。
【図２０】本発明の実施の形態９に係るトッププレート２の要部を示す上面図である。
【図２１】本発明の実施の形態１０に係る加熱調理器の上面図である。
【図２２】本発明の実施の形態１１に係る表示画面５１０の構成を説明する図である。
【図２３】本発明の実施の形態１２に係る表示画面５１０の構成を説明する図である。
【図２４】本発明の実施の形態１３に係る表示画面５１０および表示灯５６０の構成を説明する図である。
【図２５】本発明の実施の形態１４に係る表示画面５１０の構成を説明する図である。
【発明を実施するための形態】
【００１１】
以下、本発明の実施の形態について図面を用いて説明する。
なお、各実施の形態においては、本発明の加熱調理器の一例として、誘導加熱により加熱調理を行うＩＨクッキングヒーターを例に説明を行うが、これに限定されるものではない。
【００１２】
実施の形態１．
図１は本発明の実施の形態１に係る加熱調理器の斜視図である。
図２は本発明の実施の形態１に係る加熱調理器の上面図である。
図１、図２において、本実施の形態１に係る加熱調理器は、天面が開口された箱状の本体１の上面に、耐熱性のガラスと金属の枠体とで構成するトッププレート２が取り付けられるように構成されている。このトッププレート２には、鍋やフライパンなどの被加熱物が載置される。
【００１３】
本体１内には、トッププレート２に載置された被加熱物を誘導加熱する誘導加熱コイル３ａ、３ｂ、３ｃが設けられている。
誘導加熱コイル３ａ〜３ｃは、トッププレート２の幅方向に配設されている。また、誘導加熱コイル３ａ、３ｂは、トッププレート２の手前側（本体１の前面側）に配設され、誘導加熱コイル３ｃは、トッププレート２の奥側（本体１の背面側）に配設されている。
【００１４】
トッププレート２の表面には、本体１内の誘導加熱コイル３ａ〜３ｃが配設される位置に、加熱領域を示す目的で円形の表示（加熱口４ａ、４ｂ、４ｃ）が印刷若しくは塗装されている。
また、トッププレート２の耐熱性ガラスは透明な素材であるため、加熱口以外の部分についても本体１内部が露見しないよう或いは外観の質感向上のためこのトッププレート２は裏面より印刷若しくは塗装されている。
【００１５】
なお、本実施の形態１では加熱口４ａおよび４ｂは比較的加熱出力を大きく設定した加熱口であり、加熱口４ｃは前述の２つの加熱口に対して比較的加熱出力を小さく設定した加熱口である。
なお、複数の加熱口のうち任意の加熱口について、輻射によって加熱する輻射型熱源を用いる電気ヒーター（例えばニクロム線やハロゲンヒーター、ラジェンドヒーター等）を用いるようにしても良い。
なお、本実施の形態では誘導加熱コイル３が３つの場合を説明するが、本発明はこれに限るものではない。
【００１６】
また、トッププレート２の後方には、本体１内部と連通し、本体１内部に外気を取り込むための吸気口２０Ｒ、２０Ｌが設けられている。また、トッププレート２の後方中央には、本体１内部と連通し、本体１内部に取り込んだ空気を吹き出し排出するための排気口２１が設けられている。
また、吸気口２０Ｒ、２０Ｌおよび排気口２１の上部には、通気性を有するカバー２２を設けて、本体１内部への埃や異物侵入を防止している。
【００１７】
本体１の中央下部には魚等の調理を行うためのグリル庫３０が設けられている。
また、グリル庫３０内には、庫内に載置された被調理物を加熱するための熱源となるグリルヒーター３１（図示せず）が備えられている。このグリルヒーター３１は、例えばシーズヒーター等からなり、グリル庫３０内の上部および下部に配置される。
また、グリル庫３０の前面にはグリル扉３２が設けられ、グリル扉３２にはグリル庫３０の内部を視認できるよう視認窓３３が設けられている。また、グリル扉３２の最前面には使い勝手の良いようにグリル把持部３４が設けられている。また、グリル庫３０の内部において加熱時に排出される煙等の排気風は、本体１の奥部に設けた排気口２１より排気される。
なお、ここでは本体１の中央にグリル庫３０を設ける場合を説明するが、本発明はこれに限るものではない。例えばグリル庫３０を本体１の左側下部に設けるようにしても良い。
【００１８】
また、本体１の手前側には、入力操作や加熱状態に関する情報を表示する表示部５（５ａ〜５ｃ）と、加熱制御に関する操作の入力を行う操作部６（６ａ〜６ｃ）とが各加熱口４ごとにそれぞれ設けられている。
表示部５ａ〜５ｃは、トッププレート２の手前側に幅方向に配列されている。
操作部６ａ〜６ｃは、透明性を有する複数の電極により構成され、各表示部５の表示画面５１０（後述）の上に配置されている。
そして、表示部５に表示される表示内容がトッププレート２の表面より視認可能なように、表示部５と略同じ範囲はトッププレート２の印刷若しくは塗装が成されない構成で透明性を有する窓部７（７ａ〜７ｂ）が設けられる構造になっている。
【００１９】
左側に配置された表示部５ａは、左側に配置された誘導加熱コイル３ａに対する入力操作や加熱状態に関する情報を表示する。
右側に配置された表示部５ｂは、右側に配置された誘導加熱コイル３ｂに対する入力操作や加熱状態に関する情報を表示する。
中央に配置された表示部５ｃは、中央に配置された誘導加熱コイル３ｃおよびグリルヒーター３１に対する入力操作や加熱状態に関する情報を表示する。
【００２０】
なお、「誘導加熱コイル３」は、本発明における「加熱手段」に相当する。
なお、「表示部５」は、本発明における「表示手段」に相当する。
なお、「操作部６」は、本発明における「操作手段」に相当する。
なお、「グリルヒーター３１」は、本発明における「グリル加熱手段」に相当する。
【００２１】
ここで、表示部５を複数設ける理由を説明する。
誘導加熱調理器においては、使用者は本体１の手前側から本体１を見下ろして操作することから、表示部５は本体１の上面手前側に配置するのが望ましい。一方、操作・表示対象となる誘導加熱コイル３は、本体１の幅方向に配置されることから、表示部５はこれら誘導加熱コイル３の手前側で幅方向に横長に形成する必要がある。
表示部５の表示画面５１０（後述）を１つの部材（例えば１つの液晶パネル）で構成する場合、細い横長の液晶パネルが必要となり、このような液晶パネルを製造することは、製造品質上困難であり、またコストが高くなる。
このため、表示部５を複数設けることで、１つの表示部５の表示画面５１０の長さを短くすることを可能としている。
【００２２】
このように、複数の表示部５を設けて、液晶パネルなどの表示画面５１０を複数に分割する場合、本実施の形態１では表示部５を３つとすることが操作性とコストの観点で最も望ましい。
本実施の形態１の誘導加熱調理器では、左右の加熱口４ａ、４ｂは、大きな火力を得られる加熱口のため高頻度で使用されるが、中央奥の加熱口４ｃは、小さな火力で調理されるものに使用されるため頻度が少ない。また、グリル庫３０は、主に魚などの調理に使用されるため使用頻度が低い。
このため、左右の加熱口４ａ、４ｂには、一対一に対応して表示部５を設け、中央奥の加熱口４ｃとグリル庫３０には、１つの表示部５を兼用して、３つの表示部５を設ける構成としている。
これにより、使用頻度の高い加熱口については対応する表示部５を設けることで操作性を向上させ、使用頻度の低い加熱口やグリル庫３０については表示部５を兼用することで、コスト低減を図ることが可能となる。
【００２３】
次に、表示部５および操作部６の詳細について説明する。
【００２４】
図３は本発明の実施の形態１に係る加熱調理器の内部構造を示した概略断面図である。
図３に示すように、本体１のトッププレート２の下部には、誘導加熱コイル３が配置され、誘導加熱コイル３へ高周波電流を流し火力制御を行うインバータ９、このインバータ９を制御する制御部１０が配置される構成となっている。
この制御部１０は、操作部６から入力された設定操作や、図示しない温度センサ等からの入力に基づいて、インバータ９へ制御指令を行う。
また、制御部１０は、複数の表示部５ａ〜５ｃを制御する。動作の詳細は後述する。
【００２５】
図４は本発明の実施の形態１に係る加熱調理器の要部を拡大した概略断面図である。
図４に示すように、トッププレート２の窓部７の裏面に、透明性の導電性フィルムなどの電極でタッチスイッチを構成した操作部６を配置し、その下に、表示画面５１０とこれを駆動する表示駆動回路５２０とにより構成される表示部５を配している。
操作部６は、使用者の指などが電極の配置位置に対応する窓部７の上面に接触する際における静電容量の変化により入力操作を検知する。
【００２６】
図５は本発明の実施の形態１に係る表示画面５１０と操作部６を示す上面図である。
図５（ａ）は操作部６の各電極の配置を示す図であり、図５（ｂ）は表示画面５１０の表示状態の一例を示す図である。
図５（ａ）に示すように、操作部６は、透明性の複数の電極を有し、この電極は、表示画面５１０上の任意の位置に配置される構成となっている。
図５（ｂ）に示すように、表示画面５１０には、操作部６の電極の配置位置に対応する箇所にボタン表示がなされる。この表示は加熱調理器の制御状態に応じて、例えば操作メニューボタンや火力設定ボタンなど、任意の操作ボタンとして表示する。また、表示画面５１０には、対応する誘導加熱コイル３の投入電力（火力）を表示するための火力表示や、設定温度やタイマー値などの調理に関する情報が表示される。
このような構成により、使用者が表示画面５１０に表示された操作ボタンに触れることで、操作部６は当該操作ボタンに対応する電極からの操作信号を制御部１０に入力する。
また、制御部１０は、入力された操作信号や温度センサ等の入力に従い、表示画面５１０の表示内容を更新する。
【００２７】
なお、本実施の形態１では、操作部６を透明性の複数の電極により構成する場合を説明するが、本発明はこれに限るものではない。例えば、座標検出可能なタッチパネルにより構成しても良い。
【００２８】
図６は本発明の実施の形態１に係る加熱調理器の表示に関するブロック構成図である。
図７は本発明の実施の形態１に係る加熱調理器の表示部５のブロック構成図である。
図６、図７に示すように、表示部５ａ〜５ｃは、１つの制御部１０と接続されている。
制御部１０は、例えばマイコン等により構成され、記憶部１１に記憶された制御プログラムや画像情報等を読み出し、各表示部５を制御する。
各表示部５は、表示画面５１０と、この表示画面５１０を駆動する表示駆動回路５２０とを備えている。
表示駆動回路５２０は、表示用メモリ５２１、表示コントローラ５２２、インターフェース５２３、電源５２４、コモンドライバ５２５、およびセグメントドライバ５２６を備えている。
【００２９】
表示画面５１０は、例えばドットマトリクス式の液晶パネルにより構成される。
この表示画面５１０は、例えば単純マトリクス駆動方式を用いたＳＴＮ（Super Twisted Nematic）液晶により構成する。
表示駆動回路５２０は、電源５２４からの電力により動作し、インターフェース５２３により制御部１０からの画像情報を取得する。
表示用メモリ５２１は、制御部１０から取得した画像情報を記憶する。
表示コントローラ５２２は、表示用メモリ５２１に記憶された画像情報を読み出し、この画像情報に基づいて、コモンドライバ５２５およびセグメントドライバ５２６を継続的に駆動させる。
コモンドライバ５２５およびセグメントドライバ５２６は、表示画面５１０の各画素に対応して設けられた互いに交差する電極に電圧を印加することで液晶を駆動する。
このように、表示駆動回路５２０は、表示用メモリ５２１に記憶された画像情報を、表示画面５１０に継続して表示させる。
【００３０】
なお、実施の形態１における「制御部１０」は、本発明における「表示制御手段」に相当する。
【００３１】
なお、本実施の形態１では、３つの表示部５を１つの制御部１０により制御する場合を説明するが、制御対象となる表示部５の数はこれに限るものではない。例えば、表示部５を６つ設ける構成とし、２つの制御部１０を備え、１つの制御部１０により３つの表示部５を制御するようにしても良い。
【００３２】
次に、本実施の形態１における誘導加熱調理器の動作について説明する。
【００３３】
誘導加熱調理器の主電源（図示せず）が投入されると、各構成部は動作を開始する。
制御部１０は、記憶部１１に予め記憶された所定の画像情報を読み出す。
この所定の画像情報は、各表示部５に応じてそれぞれ記憶されている。例えば、各表示部５に対応する加熱手段に応じたメニューボタンや火力設定ボタン、火力レベル表示などの画像情報が記憶されている。
制御部１０は、表示部５ａ〜５ｃのうち、読み出した画像情報に対応する表示部５を選択し、当該表示部５に対して画像情報を出力する。この画像情報を取得した表示駆動回路５２０は、表示用メモリ５２１に当該画像情報を記憶させ、当該画像情報を継続して表示画面５１０に表示させる。
さらに、制御部１０は、他の表示部５についても順次、読み出した画像情報に対応する表示部５を選択して、画像情報を出力する。この画像情報を取得した表示駆動回路５２０は、表示用メモリ５２１に当該画像情報を記憶させ、当該画像情報を継続して表示画面５１０に表示させる。
このように、各表示駆動回路５２０は、制御部１０からの画像情報の供給が停止した後も表示用メモリ５２１に記憶された画像情報により表示を継続するので、複数の表示画面５１０で同時に表示を行うことが可能となる。
なお、各表示部５について、同一の画像情報を出力することで、各表示部５に同時に同じ画面を表示させるようにしても良い。
【００３４】
次に、制御部１０は、操作部６の電極によるセンシングを開始する。
操作部６は、電極の静電容量の変化を検出して使用者の指が触れた状態（タッチオン）を検出するとタッチオン信号を制御部１０に入力する。
制御部１０は、操作部６からのタッチオン信号（入力操作）や各種センサやタイマー等に応じて、誘導加熱コイル３やグリルヒーター３１を動作させる。
【００３５】
制御部１０は、操作部６からの入力操作または誘導加熱コイル３の加熱状態等に応じて、表示部５の表示内容を変更させるとき、表示させる画像情報を記憶部１１から読み出し、または画像情報の一部を加工する。
そして、表示内容を変更させる表示部５を選択し、選択した表示部５に対して画像情報を出力することで、当該表示部５の表示用メモリ５２１に記憶された画像情報を書き換える。
これにより、選択した表示部５の表示画面５１０の表示内容を変更させる。
【００３６】
以上のように本実施の形態においては、各表示部５の表示駆動回路５２０は、画像情報が記憶される表示用メモリ５２１を有し、表示用メモリ５２１に記憶された画像情報を読み出し、表示画面５１０に継続して表示させ、制御部１０は、各表示用メモリ５２１に記憶された画像情報を変更することで、各表示画面５１０の表示内容を更新させる。
このため、複数の表示部５を同時に表示させる場合であっても、１つの制御部１０により表示内容を制御することができ、表示部５ごとに複数の制御部１０を設ける必要が無い。よって、コストの低減を図ることができる。
また、表示駆動回路５２０は、表示用メモリ５２１に記憶された画像情報を継続して表示画面５１０に表示させるので、制御部１０からの画像情報の入力が無い状態であっても、表示を継続することができる。
また、制御部１０は、表示内容を更新させる際にのみ画像情報を出力すれば良く、処理負荷を軽減することができる。
また、１つの制御部１０により複数の表示部５を制御するため、複数の表示画面５１０に同じ表示画面を同時に表示することが可能となる。
【００３７】
また、制御部１０は、操作部６からの入力操作または誘導加熱コイル３の加熱状態に応じて、表示内容を変更させる表示部５を選択し、選択した表示部５の表示用メモリ５２１に記憶された画像情報を書き換え、対応する表示画面５１０の表示内容を変更させる。
このため、入力操作や加熱状態に応じて、表示内容を変更することができ、操作性を向上させることができる。
【００３８】
また、操作部６は、透明性を有する複数の電極により構成され、表示画面５１０の上に配置されている。
このため、表示画面５１０の表示内容に応じて直感的な操作を行うことが可能となり、操作性を向上させることができる。
また、操作部６を表示部５上に載せることにより、トッププレート２上のスペースを広くすることができ、大口径の誘導加熱コイル３を搭載することができる。
また、複数の操作部６での操作内容が異なる場合であっても、表示画面５１０の表示内容を変更すればよいため、各表示部５を同一の構成とすることができ、低コストに開発可能である。
なお、操作部６を座標検出可能なタッチパネルで構成することで、表示部５および操作部６を全て同じモジュールで製造可能である。
【００３９】
また、誘導加熱コイル３は、トッププレート２の幅方向に複数備え、表示部５は、誘導加熱コイル３毎に設けられ、トッププレート２の手前側に幅方向に配列されている。
このため、表示部５を本体１の上面手前側で幅方向に横長に形成する場合であっても、表示部５の表示画面５１０を１つの部材で構成することなく、１つの表示画面５１０の長さを短くすることが可能となる。
よって、表示画面５１０の製造品質の向上とコストの低減を図ることができる。
【００４０】
また、表示部５は、３つ設けられ、トッププレート２の手前側に幅方向に配列される。そして、中央に配置された表示部５は、中央に配置された誘導加熱コイル３およびグリルヒーター３１に対する入力操作や加熱状態に関する情報を表示する。また、右側に配置された表示部５は、右側に配置された誘導加熱コイル３に対する入力操作や加熱状態に関する情報を表示する。また、左側に配置された表示部５は、左側に配置された誘導加熱コイル３に対する入力操作や加熱状態に関する情報を表示する。
このため、使用頻度の高い加熱口については対応する表示部５を設けることで操作性を向上させ、使用頻度の低い加熱口やグリル庫３０については表示部５を兼用することで、コスト低減を図ることが可能となる。
【００４１】
なお、本実施の形態１では、表示画面５１０の例としてドットマトリクス式の液晶パネルにより構成した場合を説明したが、これに限るものではない。
例えばセグメント式の液晶パネルにより構成しても良い。また、各種発光素子（ＬＥＤなど）、有機電界発光（Electro  Luminescence：ＥＬ）素子などにより構成しても良い。
【００４２】
なお、本実施の形態１では、操作部６を透明性の電極により構成したが、これに限るものではない。例えば、メンブレンシートを用いた接点ボタンにより構成し、使用者により接点ボタンが押下されることにより、加熱制御に関する入力操作を検知するようにしてもよい。
【００４３】
実施の形態２．
図８は本発明の実施の形態２に係る加熱調理器の表示に関するブロック構成図である。
図８に示すように、本実施の形態２では、上記実施の形態１の構成に加え、画像メモリ１２と、画面選択回路１３とを備えている。
また、本実施の形態２における表示画面５１０は、ドットマトリクス式の画面により構成されている。
画像メモリ１２は、各表示部５に表示させる各画像情報を合成した合成画像情報が記憶される。
画面選択回路１３は、書き込み信号に応じて各表示部５を順次選択し、選択した表示部５の表示用メモリ５２１に合成画像情報を逐次書き込む。詳細は後述する。
なお、その他の構成は上記実施の形態１の構成と同様であり、同一部分には同一の符号を付する。
【００４４】
なお、画面選択回路１３は、この機能を実現する回路デバイスなどのハードウェアで実現することもできるし、マイコンやＣＰＵなどの演算装置上で実行されるソフトウェアとして実現することもできる。
【００４５】
なお、実施の形態２における「制御部１０」、「画像メモリ１２」、および「画面選択回路１３」は、本発明における「表示制御手段」に相当する。
なお、「画面選択回路１３」は、本発明における「画面選択部」に相当する。
【００４６】
次に、本実施の形態２における表示動作について説明する。
【００４７】
まず、制御部１０は、表示部５ａ〜５ｃに表示させる画像情報を、記憶部１１から読み出す。
そして、制御部１０は、読み出した画像情報をそれぞれ画像メモリ１２に書き込む。このとき、画像メモリ１２内の各画像情報の配置（アドレス）が、表示部５ａ、５ｂ、５ｃの順となるように連続的に配置する。
これにより、画像メモリ１２には、表示部５ａ〜５ｃの画像情報が連続した１つの画像（合成画像情報）が記憶される。
【００４８】
次に、制御部１０は、画像メモリ１２に記憶された合成画像情報を逐次読み出して、書き込み信号とともに画面選択回路１３に出力する。
画面選択回路１３は、書き込み信号に応じて各表示部５を順次選択し、選択した表示部５の表示用メモリ５２１に、制御部１０から入力された合成画像情報を逐次書き込む。
このような動作の具体例を図９により説明する。
【００４９】
図９は本発明の実施の形態２に係る動作の具体例を示す図である。
以下、画面選択回路１３は、初期状態において、表示部５ａを選択しているものとして説明する。
制御部１０は、合成画像情報（データ）を表示画面５１０のドット（画素）毎に逐次読み出して、書き込み信号とともに画面選択回路１３に出力する。
次に、画面選択回路１３は、選択した表示部５ａの表示用メモリ５２１に、入力された合成画像情報（データ）をドット毎に逐次書き込む。
また、画面選択回路１３のカウンタは、書き込み信号をカウントする。
【００５０】
図９の例では、制御部１０は、画像メモリ１２から合成画像情報のデータ“５２”を読み出し、書き込み信号とともに出力する。
画面選択回路１３は、書き込み信号が入力されるタイミングで、表示部５ａの表示用メモリ５２１のアドレス００にデータ“５２”を書き込む。
このとき画面選択回路１３のカウンタは、カウント値をインクリメントする。
次に、制御部１０は、画像メモリ１２の合成画像情報の次のデータ“５３”を読み出し、書き込み信号とともに出力する。
そして、画面選択回路１３は、上記と同様に、表示用メモリ５２１のアドレス０１にデータ“５３”を書き込み、カウント値をインクリメントする。
以降、同様に、合成画像情報が逐次読み出されて表示部５ａの表示用メモリ５２１に書き込まれる。
【００５１】
画面選択回路１３のカウンタは、書き込み信号の累計が、表示部５ａの表示画面５１０の総ドット数となったとき、画面選択信号を発生させる。
画面選択回路１３は、画面選択信号の発生により、次の画面である表示部５ｂの表示画面５１０を選択する。なお、選択する表示部５の順は、画像メモリ１２に記憶した各画像情報の配置の順となるように選択する。
【００５２】
図９の例では、表示部５ａの表示画面５１０の最後のドットに対応するアドレスｎに、データ“ｘｘ”が書き込まれた際、書き込み信号の累計が総ドット数（ｎ）となり、画面選択信号が発生される。
このとき画面選択回路１３は、カウント値をリセットする。
次に、制御部１０は、画像メモリ１２の合成画像情報の次のデータ“ｙｙ”を読み出し、書き込み信号とともに出力する。
そして、画面選択回路１３は、選択した表示部５ｂの表示用メモリ５２１のアドレス００にデータ“ｙｙ”を書き込み、カウント値をインクリメントする。
以降、同様に、合成画像情報が逐次読み出されて表示部５ｂの表示用メモリ５２１に書き込まれる。
そして、画面選択回路１３は、次に画像選択信号が発せられると、表示部５ｃを選択する。以降同様に、表示部５ａ、５ｂ、５ｃ、５ａ…の順で選択する。
【００５３】
このように、制御部１０は、画像情報を表示させる表示部５を意識することなく、合成画像情報を１つの画面として逐次、画面選択回路１３に出力する。
また、制御部１０は、各表示部５の各画像情報の内容を変更させる場合、画像メモリ１２の合成画像情報の内容を更新する。
そして、同様に、更新後の合成画像情報を逐次、画面選択回路１３に出力する。
【００５４】
なお、更新の有無にかかわらず、制御部１０は合成画像情報の出力が全て完了した後、繰り返して出力するようにしても良い。
これにより、各表示部５の表示用メモリ５２１が連続的に書き換えられることになり、表示用メモリ５２１に記憶された情報が欠落した場合や液晶パネルの駆動異常など、表示に異常が生じた場合であっても、即時に表示を修正することが可能となる。
特に、誘導加熱調理においては、誘導加熱コイル３やインバータ９等からのノイズにより、液晶パネルの表示に異常が生じることがあり、この効果は顕著である。
【００５５】
以上のように本実施の形態においては、各表示部５に表示させる各画像情報を合成した合成画像情報が記憶される画像メモリ１２と、画像メモリ１２に記憶された合成画像情報を逐次読み出して、書き込み信号とともに出力する制御部１０と、書き込み信号に応じて各表示部５を順次選択し、選択した表示部５の表示用メモリ５２１に合成画像情報を逐次書き込む画面選択回路１３とを備えている。
このため、制御部１０は表示部５を選択することなく、連続的に書き込むだけで良く、どの表示部５の表示用メモリ５２１を書き換えるかを意識する必要がなく、処理の簡素化を図ることができる。よって、制御部１０の処理の負荷が軽減できる。
また、各表示部５の画像情報を画像メモリ１２に連続的に配置した合成画像情報を逐次に読み出して出力するので、制御部１０は、メモリ配置を意識する必要がなく、処理の簡素化を図ることが可能となる。よって、制御部１０の処理の負荷が軽減できる。
また、画像メモリ１２には、各表示部５の画像情報が連続的に配置した合成画像情報が記憶されているため、複数の表示部５の画像情報の更新を容易に行うことができる。例えば、複数の表示画面５１０間での画像の移動などを容易に表現できる。
【００５６】
また、制御部１０は、合成画像情報をドット毎に逐次読み出して、書き込み信号とともに画面選択回路１３に出力し、画面選択回路１３は、選択した表示用メモリ５２１に合成画像情報をドット毎に逐次書き込み、書き込み信号の累計が、表示画面５１０の総ドット数となったとき、他の表示部５を選択する。
このため、ドットマトリクス式の画面において、１つの表示画面５１０の全てのドット（画素）に対応する表示用メモリ５２１への書き込みが完了する度に、順次、他の表示画面５１０に対応する表示用メモリ５２１への書き込みを行うことができる。
【００５７】
なお、上記の説明では、制御部１０は、記憶部１１から読み込んだ各表示部５の画像情報を合成して合成画像情報を生成した場合を説明したが、本発明はこれに限るものではない。
例えば、記憶部１１に１つまたは複数の合成画像情報を予め記憶させておき、制御部１０は、この合成画像情報を画像メモリ１２に記憶させるようにしても良い。
また、この場合、記憶部１１に記憶された合成画像情報を逐次読み出して画面選択回路１３に出力することで、記憶部１１を本発明における「画像メモリ」として使用しても良い。
このように、各表示部５の画面を合成した合成画像情報を記憶させることで、表示画面の内容を１つの画面として作成することができる。
【００５８】
実施の形態３．
図１０は本発明の実施の形態３に係る加熱調理器の表示に関するブロック構成図である。
図１０に示すように、本実施の形態３では、上記実施の形態１の構成に加え、各表示部５毎にドライバ選択回路１４を備えている。
ドライバ選択回路１４は、書き込み信号に応じて各表示駆動回路５２０を順次選択し、選択した表示駆動回路５２０の表示用メモリ５２１に画像情報を逐次書き込む。詳細は後述する。
【００５９】
図１１は本発明の実施の形態３に係る加熱調理器の表示部５のブロック構成図である。
図１１に示すように、本実施の形態３における表示部５は、表示画面５１０を複数の領域に区分し、この領域毎に表示駆動回路５２０を設けている。
ここでは、表示画面５１０を２つの領域（領域ａ、ｂ）に区分し、２つの表示駆動回路５２０ａ、５２０ｂを設ける場合を説明する。
また、本実施の形態３における表示画面５１０は、ドットマトリクス式の画面により構成されている。
なお、その他の構成は上記実施の形態１の構成と同様であり、同一部分には同一の符号を付する。
【００６０】
なお、ドライバ選択回路１４は、この機能を実現する回路デバイスなどのハードウェアで実現することもできるし、マイコンやＣＰＵなどの演算装置上で実行されるソフトウェアとして実現することもできる。
【００６１】
なお、実施の形態３における「制御部１０」、および「ドライバ選択回路１４」は、本発明における「表示制御手段」に相当する。
なお、「ドライバ選択回路１４」は、本発明における「表示駆動回路選択部」に相当する。
【００６２】
次に、本実施の形態３における表示動作について説明する。
【００６３】
制御部１０は、上記実施の形態１と同様に、記憶部１１から読み出した画像情報、または一部を加工した画像情報を表示させる表示部５を選択する。
次に、制御部１０は、選択した表示部５に対応するドライバ選択回路１４に対して、書き込み信号とともに画像情報を逐次出力する。
ドライバ選択回路１４は、書き込み信号に応じて各表示駆動回路５２０を順次選択し、選択した表示駆動回路５２０の表示用メモリ５２１に画像情報を逐次書き込む。
このような動作の具体例を次に説明する。
【００６４】
以下、ドライバ選択回路１４は、初期状態において、表示駆動回路５２０ａを選択しているものとして説明する。
制御部１０は、画像情報（データ）を表示画面５１０のドット（画素）毎に逐次読み出して、書き込み信号とともにドライバ選択回路１４に出力する。
次に、ドライバ選択回路１４は、選択した表示駆動回路５２０ａの表示用メモリ５２１に、制御部１０から入力された画像情報（データ）をドット毎に逐次書き込む。
また、ドライバ選択回路１４のカウンタは、書き込み信号をカウントする。
【００６５】
ドライバ選択回路１４のカウンタは、書き込み信号の累計が、選択した表示駆動回路５２０ａに対応する領域ａの総ドット数となったとき、ドライバ選択信号を発生させる。このとき、ドライバ選択回路１４は、カウント値をリセットする。
ドライバ選択回路１４は、ドライバ選択信号の発生により、表示駆動回路５２０ｂを選択する。なお、選択する表示駆動回路５２０の順は任意の順で良い。
【００６６】
以降、同様に、制御部１０から画像情報が逐次読み出されて表示駆動回路５２０ｂの表示用メモリ５２１に書き込まれる。
そして、ドライバ選択回路１４は、次に画像選択信号が発せられると、再び表示駆動回路５２０ａを選択する。なお、表示駆動回路５２０を３つ以上設ける場合は、各表示駆動回路５２０を順次選択し、全ての表示駆動回路５２０を順次繰り返し選択する。
【００６７】
このように、表示部５が複数の表示駆動回路５２０を備える構成であっても、制御部１０は、画像情報を出力する表示駆動回路５２０を意識することなく、表示部５が１つの表示駆動回路５２０を備えているものとして、画像情報を逐次、ドライバ選択回路１４に出力する。
【００６８】
以上のように本実施の形態においては、書き込み信号とともに画像情報を逐次出力する制御部１０と、書き込み信号に応じて各表示駆動回路５２０を順次選択し、選択した表示駆動回路５２０の表示用メモリ５２１に画像情報を逐次書き込むドライバ選択回路１４とを備えている。
このため、表示画面５１０を複数の領域に区分し、該領域毎に表示駆動回路５２０を設けた場合であっても、制御部１０は表示駆動回路５２０を選択することなく、連続的に画像情報を書き込むだけで良く、どの表示駆動回路５２０の表示用メモリ５２１を書き換えるかを意識する必要がなく、処理の簡素化を図ることができる。よって、制御部１０の処理の負荷が軽減できる。
【００６９】
また、制御部１０は、書き込み信号とともに画像情報をドット毎に逐次出力し、ドライバ選択回路１４は、選択した表示駆動回路５２０の表示用メモリ５２１に画像情報をドット毎に逐次書き込み、書き込み信号の累計が、領域の総ドット数となったとき、他の表示駆動回路５２０を選択する。
このため、ドットマトリクス式の画面において、表示画面５１０を複数の領域に区分し、該領域毎に表示駆動回路５２０を設けた場合、１つの領域の全てのドット（画素）に対応する表示用メモリ５２１への書き込みが完了する度に、順次、他の表示画面５１０の表示用メモリ５２１への書き込みを行うことができる。
このため、ドットマトリクス式の画面において、表示画面５１０を複数の領域に区分し、該領域毎に表示駆動回路５２０を設けた場合、表示画面５１０の１つの領域の全てのドット（画素）に対応する表示用メモリ５２１への書き込みが完了する度に、順次、他の領域に対応する表示用メモリ５２１への書き込みを行うことができる。
【００７０】
なお、本実施の形態３では、表示部５を複数備える構成の場合を説明したが、本発明はこれに限るものではなく、１つの表示部５を１つの制御部１０により制御する構成であっても良い。
このような構成においても、制御部１０は表示駆動回路５２０を選択することなく、連続的に画像情報を書き込むだけで良く、どの表示駆動回路５２０の表示用メモリ５２１を書き換えるかを意識する必要がなく、処理の簡素化を図ることができる。
【００７１】
なお、本実施の形態３では、上記実施の形態１の構成に、ドライバ選択回路１４を備えた場合を説明したが、これに限らず、例えば、図１２に示すように、上記実施の形態２の構成に、ドライバ選択回路１４を備える構成としても良い。
このような構成により、複数の表示部５がそれぞれ複数の表示駆動回路５２０を備える場合であっても、制御部１０は、１つの合成画像情報を逐次出力すれば良く、どの表示部５のどの表示駆動回路５２０に対して書き込みを行うかを選択する必要がなく、処理の簡素化を図ることができる。特に、表示部５および表示駆動回路５２０の数が多くなるほどこの効果は顕著である。
【００７２】
実施の形態４．
本実施の形態４では、制御部１０による画像情報の書き換え時間について説明する。
【００７３】
表示画面５１０の表示状態を変更（更新）するには、当該表示画面５１０固有の応答時間が必要となる。
例えば、動画（アニメーション）表示をする場合、画像情報の書き換えが、応答時間以内であればスムーズな動画表示が可能となる。
しかし、上述した実施の形態１〜３においては、複数の表示部５の複数の表示用メモリ５２１に順次、画像情報の書き込みが行われるため、複数の表示部５のうち少なくとも１つまたは全てで動画表示を行う場合、全ての表示用メモリ５２１についての書き換えが応答時間以内とする必要がある。
そこで、本実施の形態４の制御部１０は、複数の表示用メモリ５２１の全ての画像情報を書き換える時間が、表示画面５１０の応答時間以下となるように動作する。
具体例を図１３により説明する。
【００７４】
図１３は本発明の実施の形態４に係る動作の具体例を示す図である。
ここでは、例えば表示画面５１０を、応答時間が約２４０ｍｓのＳＴＮ液晶の場合を説明する。
なお、本実施の形態４の構成は上記実施の形態１と同様とし、同一部分には同一の符号を付する。なお、本発明はこれに限らず上記実施の形態１〜３のいずれの構成であっても良い。
【００７５】
図１３（ａ）に示すように、表示部５ａ〜５ｃの３つの表示画面５１０について動画表示をする場合、ＳＴＮの応答時間は約２４０ｍｓであるため、制御部１０は、１画面８０ｍｓ以下の時間間隔で、各表示部５の表示用メモリ５２１への書き換えを行う。
つまり、複数の表示画面５１０に対応する表示用メモリ５２１に対する書き換え間隔を、表示画面５１０の応答時間を表示駆動回路５２０の数で除算した値以下の時間に設定する。
【００７６】
なお、図１３（ｂ）に示すように、１つの表示部５ａへの書き換え処理自体は連続的に行う必要はなく、書き換え完了が８０ｍｓ以内に終わればよい。
【００７７】
以上のように本実施の形態においては、制御部１０は、複数の表示用メモリ５２１の全ての画像情報を書き換える時間が、表示画面５１０の応答時間以下である。
このため、複数の表示部５のうち少なくとも１つまたは全てで動画表示を行う場合に、スムーズな動画表示が可能となる。
【００７８】
実施の形態５．
本実施の形態５では、任意の表示画面５１０のコントラストや明るさを調整した場合、連動して他の表示画面５１０についても同様の調整を行う動作について説明する。
なお、本実施の形態５の構成は、上記実施の形態１〜４の何れかと同様であり、同一部分には同一の符号を付する。
【００７９】
図１４は本発明の実施の形態５に係る表示調整処理を示すフローチャートである。
以下、図１４の各ステップに基づき説明する。
【００８０】
（Ｓ１０１）
制御部１０は、複数の表示部５のうち何れかの表示部５の表示画面５１０のコントラストおよび明るさの少なくとも一方を調整（以下「表示調整」ともいう。）する操作入力の有無を判断する。
操作がない場合は当該ステップＳ１０１を繰り返す。
【００８１】
（Ｓ１０２）
使用者は、操作部６を操作し、任意の表示部５に対して表示調整を行う操作を入力する。
制御部１０は、表示調整の操作がされたと判断すると、当該操作に応じた調整信号を、対象の表示部５に出力する。
当該調整信号が入力された表示部５の表示駆動回路５２０は、調整信号に基づき、表示画面５１０のコントラストおよび明るさの少なくとも一方を調整する。
【００８２】
（Ｓ１０３）
制御部１０は、複数の表示部５のうち、上記ステップＳ１０２で調整信号を出力した表示部５以外の他の表示部５に対して、同一の調整信号を出力する。
当該調整信号が入力された表示部５の表示駆動回路５２０は、調整信号に基づき、表示画面５１０のコントラストおよび明るさの少なくとも一方を調整する。
【００８３】
（Ｓ１０４）
制御部１０は、全ての表示部５について上記調整信号を出力したか否かを判断し、終了していない場合は、上記ステップＳ１０３を繰り返す。
一方、全ての表示部５について調整信号の出力が完了した場合、ステップＳ１０１に戻り、上記動作を繰り返す。
【００８４】
以上のように本実施の形態においては、制御部１０は、複数の表示部５のうち、任意の表示部５に対して表示画面５１０のコントラストおよび明るさの少なくとも一方を調整する調整信号を出力したとき、当該表示部５以外の他の表示部５に対して同一の調整信号を出力し、各表示駆動回路５２０は、制御部１０から入力された調整信号に基づき、表示画面５１０のコントラストおよび明るさの少なくとも一方を調整する。
このため、任意の表示部５の表示画面５１０の１つについて、表示調整することにより、連動して他の表示部５の表示画面５１０についても、同様の表示調整を行うことが可能となる。
よって、複数の表示画面５１０についてそれぞれ表示調整をする必要がなく、操作性を向上させることができる。
【００８５】
実施の形態６．
図１５は本発明の実施の形態６に係る加熱調理器の電力供給に関するブロック構成図である。
図１５に示すように、本実施の形態６においては、複数の表示部５に電力を供給する電源回路４０と、電源回路４０から各表示部５に対する電力供給をそれぞれオンオフするスイッチ４１とを備えている。
なお、その他の構成は、上記実施の形態１〜５何れかと同一であり、同一部分には、同一の符号を付する。
【００８６】
なお、「スイッチ４１」は、本発明における「開閉手段」に相当する。
【００８７】
図１６は本発明の実施の形態６に係る表示部５の電源投入時と定常時の電流を示す図である。
図１６に示すように、表示部５の電源投入時には、定常時電流より大きい起動電流が流れる。
複数の表示部５を同時に電源投入すると、電源回路４０では各表示部５の起動時電流を合計した電流を供給することが必要となる。このため、電源回路４０の電流容量を大きくしなければならず、電源回路４０のコストアップにつながる。
【００８８】
そこで、本実施の形態６における制御部１０は、各スイッチ４１を制御し、各表示部５に対する電力供給を所定時間以上の間隔で順次行うようにする。
この所定時間としては、電源投入したあと定常時電流となるまでに要する時間より長くするのが望ましい。
【００８９】
以上のように本実施の形態においては、複数の表示部５に電力を供給する電源回路４０と、電源回路４０から各表示部５に対する電力供給をそれぞれオンオフするスイッチ４１とを備え、制御部１０は、スイッチ４１を制御し、各表示部５に対する電力供給を所定時間以上の間隔で順次行う。
このため、複数の表示部５の電源投入を同時に行う場合と比較して、電源回路４０の電流容量を低減することが可能となり、コスト削減を図ることができる。
【００９０】
実施の形態７．
図１７は本発明の実施の形態７に係る加熱調理器の電力供給に関するブロック構成図である。
図１７に示すように、本実施の形態７においては、複数の表示部５に電力を供給する電源回路４０と、電源回路４０と各表示部５との間に設けられたローパスフィルタ４２とを備えている。
なお、その他の構成は、上記実施の形態１〜６の何れかと同一であり、同一部分には、同一の符号を付する。
なお、上記実施の形態６の構成に加え、電源回路４０と各表示部５との間にローパスフィルタ４２を備えるようにしても良い。
【００９１】
図１８は本発明の実施の形態７に係る表示部５の電源投入時と定常時の電流を示す図である。
図１８に示すように、定常時において、間欠的な電流により、表示駆動回路５２０が表示画面５１０を駆動する場合、ローパスフィルタ４２を追加することにより、定常時電流を低減することが可能である。
【００９２】
実施の形態８．
本実施の形態８では、１つの表示部５により、誘導加熱コイル３ｃおよびグリルヒーター３１に関する情報を表示する際、操作性と視認性を向上させる形態について説明する。
【００９３】
図１９は本発明の実施の形態８に係る表示部５ｃの表示画面５１０と操作部６を示す上面図である。
図１９（ａ）は操作部６の各電極の配置を示す図であり、図１９（ｂ）は中央に配置された表示部５ｃの表示画面５１０の表示状態の一例を示す図である。
図１９（ａ）に示すように、操作部６は、透明性の複数の電極を有し、この電極は、表示画面５１０上の任意の位置に配置される構成となっている。
【００９４】
上記実施の形態１で説明したように、中央に配置された表示部５ｃは、中央に配置された誘導加熱コイル３ｃおよびグリルヒーター３１に対する入力操作や加熱状態に関する情報を表示する。
さらに、本実施の形態８においては、中央に配置された表示部５ｃは、表示画面５１０を、誘導加熱コイル３ｃに対する入力操作や加熱状態に関する情報を表示する領域（中央ヒーター用画面）と、グリルヒーター３１に対する入力操作や加熱状態に関する情報を表示する領域（グリル用画面）とに区分して表示する。
例えば、図１９（ｂ）に示すように、表示画面５１０のほぼ中央に、表示画面５１０を左右に分割する分割表示５１１を表示させる。
さらに、中央ヒーター用画面には、誘導加熱コイル３ｃに対する入力操作や加熱状態に関する情報を表示する。
また、グリル用画面には、グリルヒーター３１に対する入力操作や加熱状態に関する情報を表示する。
【００９５】
以上のように本実施の形態においては、中央に配置された表示部５ｃは、表示画面５１０を、誘導加熱コイル３ｃに対する入力操作や加熱状態に関する情報を表示する領域と、グリルヒーター３１に対する入力操作や加熱状態に関する情報を表示する領域とに区分して表示する。
このため、１つの表示部５により、誘導加熱コイル３ｃおよびグリルヒーター３１に関する情報を表示する場合であっても、操作性と視認性を向上させることができる。
また、表示画面５１０に表示させる内容を変更することで、中央ヒーター用画面とグリル用画面とに分割することができ、表示部５ｃの構成を他の表示部５と同様の構成とすることができ、コストの軽減を図ることができる。
また、操作部６ｃの透明電極の位置を他の操作部６と同様にした場合であっても、表示画面５１０の表示内容を変更することで、誘導加熱コイル３ｃとグリルヒーター３１とに対応するそれぞれの操作ボタン等を表示することができる。よって、操作部６ｃを同様の構成として、コストの軽減を図ることができる。
【００９６】
実施の形態９．
上記実施の形態８では、表示部５ｃの表示画面５１０に分割表示５１１を表示させることで画面の領域を分割した。本実施の形態９では、トッププレート２の窓部７に塗装を施すことにより、画面の領域を分割する形態について説明する。
【００９７】
図２０は本発明の実施の形態９に係るトッププレート２の要部を示す上面図である。
上記実施の形態１で説明したように、表示画面５１０は、トッププレート２の下方に配置されている。また、トッププレート２には、表示画面５１０の配置位置に対応して透明性を有する窓部７が形成されている。
さらに、本実施の形態９においては、図２０に示すように、中央の窓部７ｃに領域を区分する塗装である分割塗装７１が施されている。
【００９８】
このような構成とすることで、１つの表示部５により、誘導加熱コイル３ｃおよびグリルヒーター３１に関する情報を表示する場合であっても、操作性と視認性を向上させることができる。
【００９９】
実施の形態１０．
本実施の形態１０では、複数の表示部５のうち、加熱動作を停止している誘導加熱コイル３に対応する表示部５に、加熱動作中の誘導加熱コイル３の入力操作や加熱状態に関する情報を表示させる形態について説明する。
【０１００】
図２１は本発明の実施の形態１０に係る加熱調理器の上面図である。
図２１において、本実施の形態１０における誘導加熱コイル３ａ〜３ｃは、それぞれ円弧状に形成された複数のサテライトコイルを同一円周に配置して構成されている。
また、本実施の形態１０におけるインバータ９は、制御部１０からの指示に基づいて、各サテライトコイルをそれぞれ個別に駆動する。
なお、その他の構成は上記実施の形態１〜９の何れかと同様であり、同一部分には同一の符号を付する。
【０１０１】
以下、加熱口４ｂに小径の鍋などの被加熱物が載置され、これを加熱する場合の動作について、図２１を参照しつつ説明する。
【０１０２】
本実施の形態１０の制御部１０は、誘導加熱コイル３ｂに対する加熱開始の操作が入力されると、誘導加熱コイル３ｂを構成する各サテライトコイルを一定時間だけ駆動させる。そして、このときの各サテライトコイルに流れる電流等により、各サテライトコイル上に被加熱物が載置されているか否かを判断する。
例えば図２１に示すように、被加熱物が加熱口４ｂの中心より右手前側にずれて配置され、一部のサテライトコイル上に載置されていない場合、当該載置されていないサテライトコイルの駆動を停止させ、被加熱物が載置されていると判断したサテライトコイルのみ駆動して誘導加熱を行う。このように、被加熱物の載置位置に応じて、駆動させるサテライトコイルを選択することで、無駄な電力消費を削減できる。
【０１０３】
このとき、制御部１０は、加熱動作中の誘導加熱コイル３ｂに対応する表示部５ｂに、誘導加熱コイル３ｂの入力操作や加熱状態（火力、温度等）の情報を表示させる。
さらに、制御部１０は、他の表示部５のうち、加熱動作を停止している加熱手段に対応する表示部５に、加熱動作中の誘導加熱コイル３ｂに関する情報を表示させる。
例えば図２１に示すように、表示部５ａに誘導加熱コイル３ｂの調理時間を計時するタイマーの時間表示や操作ボタン等を表示させる。また、表示部５ｃに、誘導加熱コイル３ａにて実行可能な自動調理メニューの情報や、調理レシピなどの各種の案内情報を表示させる。
また、表示部５ａまたは表示部５ｃに、誘導加熱コイル３ｂのサテライトコイルのうち、現在駆動中のサテライトコイルに関する情報を表示させても良い。例えば、駆動していないサテライトコイルの位置に応じて、被加熱物が中心からずれている旨の表示をするようにしても良い。
なお、加熱停止中の加熱手段に対応する表示部５に表示させる情報は、これに限るものではない。例えば使用上の注意、エラー表示、操作ガイドなど、任意の情報を表示することができる。
【０１０４】
なお、本実施の形態１０では、各誘導加熱コイル３をサテライトコイルにより構成した場合を説明したが、本発明はこれに限るものではなく、単一のコイルにより構成しても良いし、同心円状に複数のコイルを配置するようにしても良い。
【０１０５】
以上のように本実施の形態においては、複数の表示部５のうち、加熱動作を停止している誘導加熱コイル３に対応する表示部５に、加熱動作中の誘導加熱コイル３の入力操作や加熱状態に関する情報を表示させることが可能となる。よって、操作性を向上させることができる。
【０１０６】
実施の形態１１．
表示部５の表示画面５１０による表示においては、例えば火力表示や停止ボタンなどと、他の表示内容との差異を明確にして視認性を向上させることが望まれている。
本実施の形態１１では、表示部５の表示画面５１０のうち、一部の領域を他の部分と比較して光量を増加（輝度を増加）させる形態について説明する。
【０１０７】
図２２は本発明の実施の形態１１に係る表示画面５１０の構成を説明する図である。
図２２（ａ）は、表示画面５１０を示す概略上面図である。
図２２（ｂ）は、図２２（ａ）のＡ−Ａ断面図である。
図２２（ｃ）は、表示画面５１０の表示状態を示す図である。
【０１０８】
図２２に示すように、本実施の形態１１における表示部５は、複数の導光板５３０と、複数の光源５４０を備えている。
複数の導光板５３０は、表示画面５１０の下面に互いに並んで配置され、表示画面５１０に光を照射する。
光源５４０は、各導光板５３０毎に設けられ、導光板５３０に光を入射する。
例えば図２２に示すように、導光板５３０ａ、５３０ｂを表示画面５１０の手前側と奥側（紙面上側と下側）に配置する。
なお、導光板５３０および光源５４０の数、配置位置はこれに限るものではない。
【０１０９】
導光板５３０ａおよび５３０ｂは、それぞれ、照射する光の輝度（明るさ）が異なるように構成されている。
例えば導光板５３０ａが照射する光の輝度が、導光板５３０ｂより大きくなるようにする。
この輝度の相違は、例えば各導光板５３０を異なる種類に変えても良いし、各光源５４０を変更しても良い。また、光源５４０を例えばＬＥＤにより構成し、各光源５４０のＬＥＤに流す平均電流を変えるようにしても良い。
【０１１０】
なお、導光板５３０および光源５４０の数が３つ以上の場合、少なくとも１つの導光板５３０から照射する光の輝度が、他の導光板５３０と異なるように構成すればよい。
【０１１１】
このような構成において、表示画面５１０のうち、照射する光の輝度が他の導光板より高い導光板に対応する領域に、誘導加熱コイル３の火力に関する情報を表示させる。
例えば図２２（ｃ）に示すように、表示画面５１０のうち、輝度が大きい導光板５３０ａに対応する領域に、火力表示を表示させる。また、この領域に停止ボタンを配置するようにしても良い。
【０１１２】
以上のように本実施の形態においては、表示画面５１０の下面に互いに並んで配置され、表示画面５１０に光を照射する複数の導光板と、各導光板毎に設けられ、導光板に光を入射する光源とを備え、複数の導光板のうち少なくとも１つは、照射する光の輝度が他の導光板と異なり、表示制御手段は、表示画面５１０のうち、照射する光の輝度が他の導光板より高い導光板に対応する領域に、誘導加熱コイル３の火力に関する情報を表示させる。
このため、表示画面５１０のうち一部の領域を他の領域より、輝度を大きくすることができ、目立たせることが可能となる。
また、輝度が大きい導光板５３０ａに対応する領域に、火力表示を表示させるので、火力表示の視認性を向上することができる。
また、輝度が大きい導光板５３０ａに対応する領域に、例えば停止ボタン等を表示させることで、例えばふきこぼれ発生時などに咄嗟の操作が必要な操作ボタン表示を目立たせることができ、操作性を向上することができる。
【０１１３】
実施の形態１２．
上記実施の形態１１では、導光板５３０を複数設けることで、表示画面５１０の一部を目立たせる構成とした。本実施の形態１２では、表示画面５１０の上方の一部に、可視光の透過を低減させるシートを配置することで、表示画面５１０の一部を目立たせる構成について説明する。
【０１１４】
図２３は本発明の実施の形態１２に係る表示画面５１０の構成を説明する図である。
図２３（ａ）は、表示画面５１０を示す概略上面図である。
図２３（ｂ）は、図２３（ａ）のＡ−Ａ断面図である。
図２３（ｃ）は、表示画面５１０の表示状態を示す図である。
【０１１５】
図２３に示すように、本実施の形態１２における表示部５は、表示画面５１０の上方の一部に、可視光の透過を低減させるシート５５０が配置されている。
例えば図２３（ａ）に示すように、シート５５０を表示画面５１０の中央より手前側（紙面下側）に配置し、図２３（ｂ）に示すように、表示画面５１０の上面に配置する。
【０１１６】
このような構成において、表示画面５１０のうち、シート５５０が配置されていない位置に対応する画面領域に、誘導加熱コイル３の火力に関する情報を表示させる。
例えば図２３（ｃ）に示すように、表示画面５１０のうち、シート５５０が配置されていない領域に、火力表示を表示させる。また、この領域に停止ボタンを配置するようにしても良い。
【０１１７】
以上のように本実施の形態においては、表示画面５１０の上方の一部に、可視光の透過を低減させるシートを配置し、表示制御手段は、表示画面５１０のうち、シートが配置されていない位置に対応する画面領域に、誘導加熱コイル３の火力に関する情報を表示させる。
このため、表示画面５１０のうち一部の領域を他の領域より、輝度を大きくすることができ、目立たせることが可能となる。
また、シート５５０が配置されておらず輝度が大きい領域に、火力表示を表示させるので、火力表示の視認性を向上することができる。
また、シート５５０が配置されておらず輝度が大きい領域に、例えば停止ボタン等を表示させることで、例えばふきこぼれ発生時などに咄嗟の操作が必要な操作ボタン表示を目立たせることができ、操作性を向上することができる。
【０１１８】
実施の形態１３．
本実施の形態１３では、表示画面５１０に加え、例えば火力等を表示する表示灯を設けて、火力等の表示の視認性を向上させる形態について説明する。
【０１１９】
図２４は本発明の実施の形態１３に係る表示画面５１０および表示灯５６０の構成を説明する図である。
図２４に示すように、表示画面５１０の近傍（例えば上側）には、発光色が可変の表示灯５６０を複数設けている。
なお、本実施の形態１３における表示画面５１０は、モノクロ液晶により構成しても良い。
【０１２０】
表示灯５６０は、例えば、赤色と青色の２色ＬＥＤ（Light Emitting Diode）により構成され、赤色、青色、および同時点灯によりマゼンダ色を発光する。
制御部１０は、各表示灯５６０の点灯・消灯、および発光色をそれぞれ制御する。
【０１２１】
このような構成により、制御部１０は、誘導加熱コイル３の火力に応じて表示灯５６０の点灯または発光色を可変させる。
例えば、加熱待機状態のときは全ての表示灯５６０を青色で点灯させ、投入火力の段階に応じて、左側の表示灯５６０から順に、赤色またはマセンダ色を点灯させる。
【０１２２】
なお、表示灯５６０の表示は火力に限るものではなく、設定火力、設定温度（油温）、現在温度に応じて、各表示灯５６０の点灯または発光色を変更させるようにしても良い。
【０１２３】
なお、表示灯５６０を構成するＬＥＤの制御信号線と、表示画面５１０を構成する液晶パネル用の制御信号線とは、１つのフラットケーブル（ＦＰＣケーブル５７０）で一体化することで、基板と接続するコネクタを減らすことが可能である。
【０１２４】
なお、上記実施の形態５と同様に、各表示部５の表示灯５６０についての明るさ調整を、１つの調整操作に連動して行うようにしても良い。
【０１２５】
以上のように本実施の形態においては、表示画面５１０の近傍に、発光色が可変の表示灯５６０を複数備え、制御部１０は、誘導加熱コイル３の火力に応じて表示灯の点灯または発光色を可変させる。
このため、火力等の表示の視認性を向上させることができる。
また、表示画面５１０をモノクロ表示とすることで、コストを低減することができる。
また、表示画面５１０をモノクロ表示とした場合であっても、視認性が必要な表示については表示灯５６０により目立たせて表示することが可能となる。
【０１２６】
実施の形態１４．
本実施の形態１４では、動作状態に応じて表示画面５１０のバックライト（導光板）の色を変更する形態について説明する。
【０１２７】
図２５は本発明の実施の形態１４に係る表示画面５１０の構成を説明する図である。
図２５（ａ）は、表示画面５１０を示す概略上面図である。
図２５（ｂ）は、光源５４０の構成を説明する図である。
図２５（ｃ）は、加熱停止中での表示画面５１０の表示状態を示す図である。
図２５（ｄ）は、加熱中での表示画面５１０の表示状態を示す図である。
【０１２８】
図２５（ａ）に示すように、表示部５の表示画面５１０の下面には導光板５３０が配置されている。また、導光板５３０の端部には、導光板５３０に光を入射する光源５４０が設けられている。
図２５（ｂ）に示すように、光源５４０には、例えば、赤、橙、白の３色ＬＥＤにより構成されるＬＥＤ５４１が間隔を隔てて２つ配置されている。
なお、ＬＥＤ５４１の発光色、数、配置位置はこれに限るものではない。
【０１２９】
このような構成において、制御部１０は、誘導加熱コイル３の動作状態に応じて、各ＬＥＤ５４１の発光色を制御する。
例えば図２５（ｃ）に示すように、加熱停止中においては白色に表示させる。
また、例えば図２５（ｄ）に示すように、加熱中においては赤色に表示させる。
また、赤、橙、白の３色のそれぞれの色を混ぜあわせることにより、導光板５３０の色の加減を、赤と橙の混色や、赤と白の混色などの色を表示するようにしても良い。
例えば、制御部１０は、現在の火力や、温度設定、現在の被加熱物の温度等により、ＬＥＤ５４１の発光色を変化させて、導光板５３０の色を変更することが可能である。
【０１３０】
以上のように本実施の形態においては、表示画面５１０の下面に配置され、表示画面５１０に光を照射する導光板と、発光色が可変であって、導光板に光を入射する光源とを備え、表示制御手段は、誘導加熱コイル３の動作状態に応じて、光源の発光色を制御する。
このため、表示画面５１０全体の発光色によって、動作状態を認識することができ、視認性・操作性を向上させることができる。
また、加熱動作中と加熱停止中とが表示画面５１０全体の発光色により認識できるので、使用者に対して調理中であることの注意を促すことが可能である。
また、例えば表示画面５１０をモノクロ液晶により構成してコスト低減を図る場合であっても、導光板５３０の発光色によって、火力や温度を表現することが可能となる。
【０１３１】
なお、上記実施の形態１〜１４では加熱調理器について説明したが、本発明は加熱調理器に限らず、複数の表示手段を備える電気機器についても適用することができる。
つまり、複数の表示手段と、前記複数の表示手段を制御する表示制御手段とを備え、前記各表示手段は、表示画面と、画像情報が記憶される表示用メモリを有し、前記表示用メモリに記憶された前記画像情報を読み出し、前記表示画面に継続して表示させる表示駆動回路とを有し、前記表示制御手段は、前記各表示用メモリに記憶された前記画像情報を変更することで、前記各表示画面の表示内容を更新させることを特徴とする電気機器、についても適用可能である。
【符号の説明】
【０１３２】
１  本体、２  トッププレート、３  誘導加熱コイル、４  加熱口、５  表示部、６  操作部、７  窓部、９  インバータ、１０  制御部、１１  記憶部、１２  画像メモリ、１３  画面選択回路、１４  ドライバ選択回路、２０  吸気口、２１  排気口、２２  カバー、３０  グリル庫、３１  グリルヒーター、３２  グリル扉、３３  視認窓、３４  グリル把持部、４０  電源回路、４１  スイッチ、４２  ローパスフィルタ、７１  分割塗装、５１０  表示画面、５１１  分割表示、５２０  表示駆動回路、５２１  表示用メモリ、５２２  表示コントローラ、５２３  インターフェース、５２４  電源、５２５  コモンドライバ、５２６  セグメントドライバ、５３０  導光板、５４０  光源、５４１  ＬＥＤ、５５０  シート、５６０  表示灯、５７０  ＦＰＣケーブル。
【図１】
2012023222.tif 000003
【図２】
2012023222.tif 000004
【図３】
2012023222.tif 000005
【図４】
2012023222.tif 000006
【図５】
2012023222.tif 000007
【図６】
2012023222.tif 000008
【図７】
2012023222.tif 000009
【図８】
2012023222.tif 000010
【図９】
2012023222.tif 000011
【図１０】
2012023222.tif 000012
【図１１】
2012023222.tif 000013
【図１２】
2012023222.tif 000014
【図１３】
2012023222.tif 000015
【図１４】
2012023222.tif 000016
【図１５】
2012023222.tif 000017
【図１６】
2012023222.tif 000018
【図１７】
2012023222.tif 000019
【図１８】
2012023222.tif 000020
【図１９】
2012023222.tif 000021
【図２０】
2012023222.tif 000022
【図２１】
2012023222.tif 000023
【図２２】
2012023222.tif 000024
【図２３】
2012023222.tif 000025
【図２４】
2012023222.tif 000026
【図２５】
2012023222.tif 000027
【手続補正書】
【提出日】平成25年1月28日(2013.1.28)
【手続補正１】
【補正対象書類名】明細書
【補正対象項目名】０００８
【補正方法】変更
【補正の内容】
【０００８】
本発明の加熱調理器は、被加熱物が載置されるトッププレートと、前記トッププレートの下方に載置され、前記被加熱物を加熱する加熱手段と、加熱制御に関する操作の入力を行う操作手段と、入力操作や加熱状態に関する情報を表示する複数の表示手段と、前記複数の表示手段を制御する１つの表示制御手段とを備え、前記各表示手段は、表示画面と、画像情報が記憶される表示用メモリを有し、前記表示用メモリに記憶された前記画像情報を読み出し、前記表示画面に継続して表示させる表示駆動回路とを有し、前記表示制御手段は、前記各表示用メモリに記憶された前記画像情報を変更することで、前記各表示画面の表示内容を更新させるものである。
【手続補正２】
【補正対象書類名】特許請求の範囲
【補正対象項目名】全文
【補正方法】変更
【補正の内容】
【特許請求の範囲】
【請求項１】
被加熱物が載置されるトッププレートと、
前記トッププレートの下方に載置され、前記被加熱物を加熱する加熱手段と、
加熱制御に関する操作の入力を行う操作手段と、
入力操作や加熱状態に関する情報を表示する複数の表示手段と、
前記複数の表示手段を制御する１つの表示制御手段と
を備え、
前記各表示手段は、
表示画面と、
画像情報が記憶される表示用メモリを有し、前記表示用メモリに記憶された前記画像情報を読み出し、前記表示画面に継続して表示させる表示駆動回路と
を有し、
前記表示制御手段は、
前記各表示用メモリに記憶された前記画像情報を変更することで、前記各表示画面の表示内容を更新させる
ことを特徴とする加熱調理器。
【請求項２】
前記表示制御手段は、
前記操作手段からの入力操作または前記加熱手段の加熱状態に応じて、表示内容を変更させる前記表示手段を選択し、
選択した表示手段の前記表示用メモリに記憶された前記画像情報を書き換え、対応する前記表示画面の表示内容を変更させる
ことを特徴とする請求項１記載の加熱調理器。
【請求項３】
前記表示制御手段は、
前記各表示手段に表示させる前記各画像情報を合成した合成画像情報が記憶される画像メモリと、
前記画像メモリに記憶された前記合成画像情報を逐次読み出して、書き込み信号とともに出力する制御部と、
前記書き込み信号に応じて前記各表示手段を順次選択し、選択した表示手段の前記表示用メモリに前記合成画像情報を逐次書き込む画面選択部と
を備えたことを特徴とする請求項１記載の加熱調理器。
【請求項４】
前記表示画面は、ドットマトリクス式の画面により構成され、
前記制御部は、
前記合成画像情報をドット毎に逐次読み出して、書き込み信号とともに前記画面選択部に出力し、
前記画面選択部は、
選択した前記表示手段の前記表示用メモリに前記合成画像情報をドット毎に逐次書き込み、
前記書き込み信号の累計が、前記表示画面の総ドット数となったとき、他の表示手段を選択する
ことを特徴とする請求項３記載の加熱調理器。
【請求項５】
前記表示手段は、
前記表示画面を複数の領域に区分し、該領域毎に前記表示駆動回路を設け、
前記表示制御手段は、
書き込み信号とともに前記画像情報を逐次出力する制御部と、
前記書き込み信号に応じて前記各表示駆動回路を順次選択し、選択した表示駆動回路の前記表示用メモリに前記画像情報を逐次書き込む表示駆動回路選択部と
を備えたことを特徴とする請求項１記載の加熱調理器。
【請求項６】
前記表示画面は、ドットマトリクス式の画面により構成され、
前記制御部は、
書き込み信号とともに前記画像情報をドット毎に逐次出力し、
前記表示駆動回路選択部は、
選択した表示駆動回路の前記表示用メモリに前記画像情報をドット毎に逐次書き込み、
前記書き込み信号の累計が、前記領域の総ドット数となったとき、他の表示駆動回路を選択する
ことを特徴とする請求項５記載の加熱調理器。
【請求項７】
前記表示制御手段は、
前記複数の表示用メモリの全ての前記画像情報を書き換える時間が、前記表示画面の応答時間以下である
ことを特徴とする請求項１〜６の何れか１項に記載の加熱調理器。
【請求項８】
前記表示制御手段は、
前記複数の表示手段のうち、任意の表示手段に対して前記表示画面のコントラストおよび明るさの少なくとも一方を調整する調整信号を出力したとき、当該表示手段以外の他の表示手段に対して同一の調整信号を出力し、
前記各表示駆動回路は、
前記表示制御手段から入力された前記調整信号に基づき、前記表示画面のコントラストおよび明るさの少なくとも一方を調整する
ことを特徴とする請求項１〜７の何れか１項に記載の加熱調理器。
【請求項９】
前記複数の表示手段に電力を供給する電源回路と、
前記電源回路から前記各表示手段に対する電力供給をそれぞれオンオフする開閉手段と
を備え、
前記表示制御手段は、
前記開閉手段を制御し、前記各表示手段に対する電力供給を所定時間以上の間隔で順次行う
ことを特徴とする請求項１〜８の何れか１項に記載の加熱調理器。
【請求項１０】
前記操作手段は、
透明性を有する複数の電極により構成され、前記表示画面の上に配置された
ことを特徴とする請求項１〜９の何れか１項に記載の加熱調理器。
【請求項１１】
前記加熱手段は、前記トッププレートの幅方向に複数備え、
前記表示手段は、
前記加熱手段毎に設けられ、前記トッププレートの手前側に幅方向に配列された
ことを特徴とする請求項１〜１０の何れか１項に記載の加熱調理器。
【請求項１２】
前記トッププレートの下方に設けられ、被加熱物を出し入れ可能に前面が開口したグリル庫と、
前記グリル庫内に設けられ、前記被加熱物を加熱するグリル加熱手段と
を備え、
前記加熱手段は、前記トッププレートの幅方向に３つ設けられ、
前記表示手段は、３つ設けられ、前記トッププレートの手前側に幅方向に配列され、
中央に配置された前記表示手段は、中央に配置された前記加熱手段および前記グリル加熱手段に対する入力操作や加熱状態に関する情報を表示し、
右側に配置された前記表示手段は、右側に配置された前記加熱手段に対する入力操作や加熱状態に関する情報を表示し、
左側に配置された前記表示手段は、左側に配置された前記加熱手段に対する入力操作や加熱状態に関する情報を表示する
ことを特徴とする請求項１〜１１の何れか１項に記載の加熱調理器。
【請求項１３】
中央に配置された前記表示手段は、
前記表示画面を、前記加熱手段に対する入力操作や加熱状態に関する情報を表示する領域と、前記グリル加熱手段に対する入力操作や加熱状態に関する情報を表示する領域とに区分して表示する
ことを特徴とする請求項１２記載の加熱調理器。
【請求項１４】
前記表示画面は、前記トッププレートの下方に配置され、
前記トッププレートは、前記表示画面の配置位置に対応して透明性を有する窓部が形成され、
前記窓部に、前記領域を区分する塗装が施された
ことを特徴とする請求項１３記載の加熱調理器。
【請求項１５】
前記加熱手段は、複数設けられ、
前記表示手段は、前記加熱手段毎に複数設けられ、
前記表示制御手段は、
前記複数の表示手段のうち、加熱動作を停止している前記加熱手段に対応する表示手段に、加熱動作中の前記加熱手段の入力操作や加熱状態に関する情報を表示させる
ことを特徴とする請求項１〜１４の何れか１項に記載の加熱調理器。
【国際調査報告】
2012023222.tif 000028
2012023222.tif 000029
2012023222.tif 000030
2012023222.tif 000031
2012023222.tif 000032